(57)【要約】【課題】フレームのコストを低減することができる電気光学モジュール、および当該電気光学モジュールを備えた電子機器を提供すること。【解決手段】投射型表示装置の電気光学モジュール１０に用いたフレーム５０は、液晶パネル４０の光出射領域４０ａと重ならないように折り曲げられた１枚の平板からなるため、フレーム５０のコストを低減することができる。また、フレーム５０は、液晶パネル４０の正面部４１に被さる面（第１面５１）と、液晶パネル４０の側面部に被さる面（第２面５２および第３面５３）と、液晶パネル４０の背面部に被さる面（第４面５４および第５面５５）とを有しているため、フレーム５０を１枚の平板によって構成した場合でも、液晶パネル４０の周りを囲むことができる。【選択図】図７
2012088589.tif 000002
【特許請求の範囲】
【請求項１】
変調した光が出射される光出射領域を備えた正面部、該正面部に対向する背面部、および当該背面部と前記正面部との間に位置する複数の側面部を備えた電気光学パネルと、
該電気光学パネルの周りを囲むフレームと、を有し、
前記フレームは、前記光出射領域と重ならないように折り曲げられた１枚の平板からなり、前記正面部および前記背面部のうちの一方面に被さる第１面と、該第１面の第１端部で折れ曲がって前記複数の側面部のうちの第１側面部に被さる第２面と、前記第１面において前記第１端部に対向する第２端部で折れ曲がって、前記複数の側面部のうち、前記第１側面部に対向する第２側面部に被さる第３面と、前記第２面において前記第１端部に繋がる側とは反対側の端部で折れ曲がって前記正面部および前記背面部のうちの他方面に被さる第４面と、前記第３面において前記第２端部に繋がる側とは反対側の端部で折れ曲がって前記他方面に被さる第５面と、を備えていることを特徴とする電気光学モジュール。
【請求項２】
前記第１面には、前記光出射領域と重なる領域に開口部が設けられ、
前記第４面および前記第５面は、前記他方面の端部に被さっており、前記光出射領域には被さっていないことを特徴とする請求項１に記載の電気光学モジュール。
【請求項３】
前記第４面は、前記第２面が位置する側から前記第３面が位置する側に向けて延在する第４面側第１延在部と、該第４面側第１延在部の先端部で折れ曲がって延在する第４面側第２延在部と、を備え、
前記第５面は、前記第３面が位置する側から前記第２面が位置する側に向けて延在する第５面側第１延在部と、該第５面側第１延在部の先端部で折れ曲がって延在する第５面側第２延在部と、を備えていることを特徴とする請求項２に記載の電気光学モジュール。
【請求項４】
前記第４面は、前記第４面側第２延在部の先端部で前記第２面側に向けて折れ曲がった第４面側第３延在部を備え、
前記第５面は、前記第５面側第２延在部の先端部で前記第３面側に向けて折れ曲がった第５面側第３延在部を備えていることを特徴とする請求項３に記載の電気光学モジュール。
【請求項５】
前記第５面側第１延在部は、前記光出射領域に対して前記第４面側第１延在部が延在する側とは反対側に設けられていることを特徴とする請求項３または４に記載の電気光学モジュール。
【請求項６】
前記第４面は、前記光出射領域の周りを全周で囲む矩形枠形状を有し、
前記第５面は、前記光出射領域の周りを全周で囲む矩形枠形状を有していることを特徴とする請求項２乃至５の何れか一項に記載の電気光学モジュール。
【請求項７】
前記他方面は、前記第４面および前記第５面の折れ曲がりにより生成された角部の内側が係合する段部を有していることを特徴とする請求項３乃至６の何れか一項に記載の電気光学モジュール。
【請求項８】
前記平板は可撓性を備え、
前記フレームは、弾性をもって前記電気光学パネルを保持していることを特徴とする請求項１乃至７の何れか一項に記載の電気光学モジュール。
【請求項９】
前記電気光学パネルと前記第２面との間、および前記電気光学パネルと前記第３面との間には、隙間が空いていることを特徴とする請求項１乃至８の何れか一項に記載の電気光学モジュール。
【請求項１０】
請求項１乃至９の何れか一項に記載の電気光学モジュールを備えていることを特徴とする電子機器。
【請求項１１】
前記電気光学モジュールに供給される光を出射する光源部と、
前記電気光学モジュールによって変調された光を投射する投射光学系と、
を有していることを特徴とする請求項１０に記載の電子機器。
【発明の詳細な説明】
【技術分野】
【０００１】
本発明は、投射型表示装置等の電子機器に用いられる電気光学モジュール、および該電気光学モジュールを備えた電子機器に関するものである。
【背景技術】
【０００２】
投射型表示装置等の電子機器において画像を表示する際には、液晶パネル等の電気光学パネルによって変調した光を利用する。かかる電子機器に電気光学パネルを搭載する場合、電気光学パネルは、フレームに保持された状態とされる。
【０００３】
かかるフレームは、従来、２つの板状部材によって構成されている。従って、２つの板状部材の間に電気光学パネルを配置した後、ボスの穴への嵌合、ネジ止め、加締め、溶接、接着等により２つの板状部材を連結してフレームを構成する（特許文献１参照）。
【０００４】
また、フレームを構成する２つの板状部材の間に電気光学パネルを配置した後、フックによって２つの板状部材を連結してフレームを構成することもある（特許文献２参照）。
【先行技術文献】
【特許文献】
【０００５】
【特許文献１】特開２００２−２２９１２１号公報の段落［００２５］等
【特許文献２】特開２００９−５３５８８号公報の段落［００６２］等
【発明の概要】
【発明が解決しようとする課題】
【０００６】
しかしながら、電気光学パネルをフレームに保持させるにあたって、特許文献１、２に記載の構成のように、フレームを２つの部材で構成すると、コストが嵩むという問題点がある。
【０００７】
以上の問題点に鑑みて、本発明の課題は、フレームのコストを低減することができる電気光学モジュール、および当該電気光学モジュールを備えた電子機器を提供することにある。
【課題を解決するための手段】
【０００８】
上記課題を解決するために、本発明に係る電気光学モジュールは、変調した光が出射される光出射領域を備えた正面部、該正面部に対向する背面部、および当該背面部と前記正面部との間に位置する複数の側面部を備えた電気光学パネルと、該電気光学パネルの周りを囲むフレームと、を有し、前記フレームは、前記光出射領域と重ならないように折り曲げられた１枚の平板からなり、前記正面部および前記背面部のうちの一方面に被さる第１面と、該第１面の第１端部で折れ曲がって前記複数の側面部のうちの第１側面部に被さる第２面と、前記第１面において前記第１端部に対向する第２端部で折れ曲がって、前記複数の側面部のうち、前記第１側面部に対向する第２側面部に被さる第３面と、前記第２面において前記第１端部に繋がる側とは反対側の端部で折れ曲がって前記正面部および前記背面部のうちの他方面に被さる第４面と、前記第３面において前記第２端部に繋がる側とは反対側の端部で折れ曲がって前記他方面に被さる第５面と、を備えていることを特徴とする。
【０００９】
本発明に係る電気光学モジュールにおいて、フレームは、光出射領域と重ならないように折り曲げられた１枚の平板からなるため、フレームのコストを低減することができる。また、フレームは、電気光学パネルの正面部および背面部のうちの一方面に被さる第１面と、電気光学パネルの側面部（第１側面部および第２側面部）に被さる面（第２面および第３面）と、電気光学パネルの他方面に被さる面（第４面および第５面）とを有しているため、フレームを１枚の平板によって構成した場合でも、電気光学パネルの周りを囲むことができる。
【００１０】
本発明において、前記第１面には、前記光出射領域と重なる領域に開口部が設けられ、前記第４面および前記第５面は、前記他方面の端部に被さっており、前記光出射領域には被さっていないことが好ましい。かかる構成によれば、フレームにおいて、第１面が位置する側に光が通過可能な部分が確保されるとともに、第４面および第５面が位置する側にも光が通過可能な部分が確保される。従って、フレームの第１面の側、あるいは第４面および第５面が位置する側のいずれを電気光学パネルの正面部に配置しても電気光学パネルからの変調光の出射を妨げない。また、透過型の液晶パネルのように、正面部および背面部の双方に光が通過する部分が必要な場合にも対応することができる。
【００１１】
本発明において、前記第４面は、前記第２面が位置する側から前記第３面が位置する側に向けて延在する第４面側第１延在部と、該第４面側第１延在部の先端部で折れ曲がって延在する第４面側第２延在部と、を備え、前記第５面は、前記第３面が位置する側から前記第２面が位置する側に向けて延在する第５面側第１延在部と、該第５面側第１延在部の先端部で折れ曲がって延在する第５面側第２延在部と、を備えていることが好ましい。かかる構成によれば、フレームにおいて第４面および第５面が位置する側に光が通過する部分を確保しつつ、電気光学パネルの他方面を覆うことができる。
【００１２】
本発明において、前記第４面は、前記第４面側第２延在部の先端部で前記第２面側に向けて折れ曲がった第４面側第３延在部を備え、前記第５面は、前記第５面側第２延在部の先端部で前記第３面側に向けて折れ曲がった第５面側第３延在部を備えていることが好ましい。かかる構成によれば、フレームにおいて第４面および第５面が位置する側に光が通過する部分を確保しつつ、電気光学パネルの他方面を広く覆うことができる。
【００１３】
本発明において、前記第５面側第１延在部は、前記光出射領域に対して前記第４面側第１延在部が延在する側とは反対側に設けられていることが好ましい。かかる構成によれば、フレームにおいて第４面および第５面が位置する側に光が通過する部分を確保しつつ、電気光学パネルの他方面を広く覆うことができる。
【００１４】
本発明において、前記第４面は、前記光出射領域の周りを全周で囲む矩形枠形状を有し、前記第５面は、前記光出射領域の周りを全周で囲む矩形枠形状を有していることが好ましい。かかる構成によれば、フレームにおいて第４面および第５面が位置する側に光が通過する部分を確保しつつ、電気光学パネルの他方面を広く覆うことができる。
【００１５】
本発明において、前記他方面は、前記第４面および前記第５面の折れ曲がりにより生成された角部の内側が係合する段部を有していることが好ましい。かかる構成によれば、第４面および第５面を電気光学パネルの他方面に被せるだけで、第４面および第５面が電気光学パネルの段部に係合するので、第４面および第５面が電気光学パネルの他方面に被さった状態を維持することができる。従って、電気光学モジュールの組み立ての際、第４面および第５面が電気光学パネルの他方面に被さった状態を維持するための部材や接着剤等を用いなくてもよい。また、電気光学モジュールの組み立て後、第４面および第５面が電気光学パネルの他方面に被さった状態を維持するための部材や接着剤等を用いない構成を採用することができる。また、電気光学モジュールの組み立て後、第４面および第５面が電気光学パネルの他方面に被さった状態を維持するための部材や接着剤等を用いる場合でも、簡素な構成で済むという利点がある。
【００１６】
本発明において、前記平板は可撓性を備え、前記フレームは、弾性をもって前記電気光学パネルを保持していることが好ましい。かかる構成によれば、電気光学パネルに大きな負荷が加わらないので、電気光学パネルが欠ける等の不具合が発生しにくい。
【００１７】
本発明において、前記電気光学パネルと前記第２面との間、および前記電気光学パネルと前記第３面との間には、隙間が空いていることが好ましい。かかる構成によれば、電気光学パネルと第２面との間、および電気光学パネルと第３面との間に冷却空気を通過させることができるので、電気光学パネルを効率よく冷却することができる。
【００１８】
本発明に係る電気光学モジュールは、投射型表示装置や、携帯機器等といった電子機器に用いることができる。本発明に係る電気光学モジュールを投射型表示装置に用いる場合、投射型表示装置には、前記電気光学モジュールに供給される光を出射する光源部と、前記電気光学モジュールによって変調された光を投射する投射光学系と、が設けられる。
【図面の簡単な説明】
【００１９】
【図１】本発明を適用した電子機器の一例としての投射型表示装置の説明図である。
【図２】本発明を適用した投射型表示装置に用いた光学ユニットの概略構成を示す説明図である。
【図３】本発明を適用した投射型表示装置に用いた光学ユニットの詳細構成を示す説明図である。
【図４】本発明を適用した投射型表示装置に用いた光学ユニットにおいて、液晶パネルを光合成用のプリズムユニットに取り付けた様子を示す説明図である。
【図５】本発明を適用した電気光学モジュールに用いた液晶パネルの説明図である。
【図６】本発明を適用した電気光学モジュールに用いた液晶パネルの外形を示す説明図である。
【図７】本発明の実施の形態１に係る電気光学モジュールの外形を示す説明図である。
【図８】本発明の実施の形態１に係る電気光学モジュールに用いたフレームの説明図である。
【図９】本発明の実施の形態２に係る電気光学モジュールに用いたフレームの説明図である。
【図１０】本発明の実施の形態３に係る電気光学モジュールに用いたフレームの説明図である。
【図１１】本発明の実施の形態４に係る電気光学モジュールに用いたフレームの説明図である。
【図１２】本発明を適用した別の投射型表示装置の説明図である。
【発明を実施するための形態】
【００２０】
図面を参照して、本発明の実施の形態を説明する。なお、各実施の形態に係る電気光学モジュールを説明する前に各実施の形態で共通な電子機器の構成を説明する。また、本発明を適用した電子機器として、透過型の電気光学パネル（透過型の液晶パネル）を備えた電気光学モジュールをライトバルブとして用いた投射型表示装置を説明する。また、以下の説明で参照する図においては、各層や各部材を図面上で認識可能な程度の大きさとするため、各層や各部材毎に縮尺を異ならしめてある。
【００２１】
［投射型表示装置（電子機器）の構成］
（投射型表示装置の全体構成）
図１は、本発明を適用した電子機器の一例としての投射型表示装置の説明図であり、図１（ａ）、（ｂ）は、投射型表示装置の主要部分の平面的な構成を示す説明図、および主要部分を側方からみたときの説明図である。図２は、本発明を適用した投射型表示装置に用いた光学ユニットの概略構成を示す説明図である。
【００２２】
図１に示す投射型表示装置１において、外装ケース２の内部には、その後端側に電源ユニット７が配置され、電源ユニット７に装置前側で隣り合う位置に光源ランプユニット８（光源部）および光学ユニット９が配置されている。また、外装ケース２の内部には、光学ユニット９の前側の中央に投射レンズユニット６の基端側が位置している。光学ユニット９の一方の側には、入出力インターフェース回路が搭載されたインターフェース基板１１が装置前後方向に向けて配置され、インターフェース基板１１に平行に、ビデオ信号処理回路が搭載されたビデオ基板１２が配置されている。光源ランプユニット８および光学ユニット９の上側には、装置駆動制御用の制御基板１３が配置され、装置前端側の左右の角には、それぞれスピーカー１４Ｒ、１４Ｌが配置されている。
【００２３】
光学ユニット９の上方および下方には装置内部冷却用の吸気ファン１５Ａ、１５Ｂが配置されている。また、光源ランプユニット８の裏面側である装置側面には排気ファン１６が配置されている。さらに、インターフェース基板１１およびビデオ基板１２の端に面する位置には、吸気ファン１５Ａからの冷却用空気流を電源ユニット７内に吸引するための補助冷却ファン１７が配置されている。これらのファンのうち、吸気ファン１５Ｂは、主に後述する液晶パネルの冷却用ファンとして機能している。
【００２４】
図２において、光学ユニット９を構成する各光学素子（要素）は、色光合成手段を構成しているプリズムユニット２０を含めて、ＭｇやＡｌ等の金属からなる上ライトガイド８０または下ライトガイド９０により支持されている。上ライトガイド８０および下ライトガイド９０は、アッパーケース３およびロアーケース４に固定ねじにより固定されている。
【００２５】
（光学ユニット９の詳細構成）
図３は、本発明を適用した投射型表示装置に用いた光学ユニットの詳細構成を示す説明図である。図３に示すように、光学ユニット９は、光源ランプ８０５と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。また、光学ユニット９は、各色光束を変調する電気光学パネル（ライトバルブ）としての３枚の透過型の液晶パネル４０（Ｒ）、４０（Ｇ）、４０（Ｂ）と、変調された色光束を合成する色光合成光学系としてのプリズムユニット２０と、合成された光束を投射面上に拡大投射する投射レンズユニット６とを有している。また、色光分離光学系９２４によって分離された各色光束のうち、青色光束Ｂを対応する液晶パネル４０（Ｂ）に導くリレー光学系９２７を備えている。
【００２６】
照明光学系９２３は、さらに、反射ミラー９３１を備えており、光源ランプ８０５からの出射光の光軸１ａを装置前方向に向けて直角に折り曲げるようにしている。この反射ミラー９３１を挟み、インテグレーターレンズ９２１、９２２が前後に直交する状態に配置されている。
【００２７】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００２８】
色光分離光学系９２４の赤色光束および緑色光束の出射部９４４、９４５の出射側には、それぞれ集光レンズ９５１、９５２が配置されている。したがって、各出射部から出射した赤色光束および緑色光束は、これらの集光レンズ９５１、９５２に入射して平行化される。
【００２９】
平行化された赤色および緑色の光束Ｒ、Ｇは、偏光板６０（Ｒ）、６０（Ｇ）によって偏光方向が揃えられた後、液晶パネル４０（Ｒ）、４０（Ｇ）に入射して変調され、各色光に対応した画像情報が付加される。すなわち、これらの液晶パネル４０（Ｒ）、４０（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００３０】
一方、青色光束Ｂは、リレー光学系９２７を介し、さらに、偏光板６０（Ｂ）によって偏光方向が揃えられた後、対応する液晶パネル４０（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、液晶パネル４０（Ｂ）の手前側に配置した集光レンズ９５３から構成される。各色光束の光路の長さ、すなわち、光源ランプ８０５から各液晶パネルまでの距離は、青色光束Ｂが最も長くなり、したがって、この光束の光量損失が最も多くなる。しかし、リレー光学系９２７を介在させることにより、光量損失を抑制できる。
【００３１】
各液晶パネル４０（Ｒ）、４０（Ｇ）、４０（Ｂ）を通って変調された各色光束は、偏光板６１（Ｒ）、６１（Ｇ）、６１（Ｂ）に入射し、これを透過した光がプリズムユニット２０（クロスダイクロイックプリズム）に入射して合成される。ここで合成されたカラー画像は、投射レンズ系を備えた投射レンズユニット６を介して、所定の位置にあるスクリーン等の被投射面７０上に拡大投射される。
【００３２】
（液晶パネルの光合成プリズムへの取り付け構造）
図４は、本発明を適用した投射型表示装置１に用いた光学ユニット９において、液晶パネル４０（Ｒ）、４０（Ｇ）、４０（Ｂ）を光合成用のプリズムユニット２０に取り付けた様子を示す説明図である。
【００３３】
図４に示すように、投射型表示装置１の光学ユニット９において、液晶パネル４０（Ｂ）を搭載するには、補強等を目的に、液晶パネル４０（Ｂ）をフレーム５０に保持した電気光学モジュール１０（Ｂ）としてプリズムユニット２０に取り付ける。その際、プリズムユニット２０には、偏光板６１（Ｂ）が固着されているため、電気光学モジュール１０（Ｂ）は、偏光板６１（Ｂ）を介してプリズムユニット２０に取り付けられる。また、電気光学モジュール１０（Ｂ）において、プリズムユニット２０に固着される側とは反対側の端面には偏光板６０（Ｂ）が固着されている。
【００３４】
ここで、液晶パネル４０（Ｂ）は、画素電極や画素トランジスターが形成された素子基板４０ｅと、共通電極が形成された対向基板４０ｆとがシール材（図示せず）によって所定の隙間を介して貼り合わされ、素子基板４０ｅと対向基板４０ｆとの間において、シール材で囲まれた領域内に液晶層（図示せず）が保持されている。また、液晶パネル４０（Ｂ）では、素子基板４０ｅの外面側および対向基板４０ｆの外面側に防塵ガラス４０ｇ、４０ｈが各々貼付されている。素子基板４０ｅは、対向基板４０ｆよりサイズが大きく、対向基板４０ｆの端部から張り出した張出部を有している。本形態では、かかる素子基板４０ｅの張出部に対して、配線部材としてのフレキシブル配線基板４０ｉが接続されている。フレキシブル配線基板４０ｉは、フレーム５０の内部から外部に引き出され、制御部等に接続されている。
【００３５】
本形態において、液晶パネル４０（Ｂ）は、対向基板４０ｆが光入射側に配置され、素子基板４０ｅが光出射側に配置されている。但し、素子基板４０ｅが光入射側に配置され、対向基板４０ｆが光出射側に配置されていてもよい。なお、液晶パネル４０（Ｒ）、４０（Ｇ）も、液晶パネル４０（Ｂ）と同様、フレーム（図示せず）に保持した電気光学モジュール１０（Ｒ）、１０（Ｇ）としてプリズムユニット２０に取り付けられている。かかる液晶パネル４０（Ｒ）、４０（Ｇ）を備えた電気光学モジュール１０（Ｒ）、１０（Ｇ）は、液晶パネル４０（Ｂ）を備えた電気光学モジュール１０（Ｂ）と同一の構成を有している。従って、以下に説明では、液晶パネル４０および電気光学モジュール１０等については、対応する色を示す（Ｒ）（Ｇ）（Ｂ）を付さずに説明する。
【００３６】
［液晶パネル４０の構成］
図５は、本発明を適用した電気光学モジュール１０に用いた液晶パネル４０の説明図であり、図５（ａ）、（ｂ）は各々、液晶パネル４０を各構成要素と共に対向基板の側から見た平面図、およびそのＨ−Ｈ′断面図である。図６は、本発明を適用した電気光学モジュール１０に用いた液晶パネル４０の外形を示す説明図であり、図６（ａ）、（ｂ）は各々、液晶パネル４０を対向基板４０ｆの側（背面側）からみたときの説明図、および液晶パネル４０を素子基板４０ｅの側（正面側）からみたときの説明図である。なお、以下に参照する図面において、液晶パネル４０への入射光については矢印Ｌ１を付し、液晶パネル４０からの出射光については矢印Ｌ２を付してある。
【００３７】
図５に示すように、液晶パネル４０では、透光性の素子基板４０ｅと透光性の対向基板４０ｆとが所定の隙間を介してシール材４０７によって貼り合わされており、素子基板４０ｅと対向基板４０ｆとの間においてシール材４０７によって囲まれた領域内に液晶層が保持されている。シール材４０７は、対向基板４０ｆの外縁に沿うように枠状に設けられている。シール材４０７は、光硬化性を備えた接着剤、熱硬化性の接着剤、あるいは光硬化性および熱硬化性の双方を備えた接着剤であり、両基板間の距離を所定値とするためのグラスファイバー、あるいはガラスビーズ等のギャップ材が配合されている。
【００３８】
本形態において、素子基板４０ｅおよび対向基板４０ｆはいずれも四角形であり、液晶パネル４０の略中央には、変調光を出射する光出射領域４０ａが四角形の領域として設けられている。かかる形状に対応して、シール材４０７も略四角形に設けられ、シール材４０７の内周縁と光出射領域４０ａの外周縁との間には、略四角形の周辺領域４０ｃが額縁状に設けられている。素子基板４０ｅにおいて、光出射領域４０ａの外側では、素子基板４０ｅの一辺に沿ってデータ線駆動回路４０１および複数の端子４０２が形成されており、この一辺に隣接する他の辺に沿って走査線駆動回路４０４が形成されている。なお、端子４０２には、フレキシブル配線基板４０ｉが接続されており、素子基板４０ｅには、フレキシブル配線基板４０ｉを介して各種電位や各種信号が入力される。
【００３９】
素子基板４０ｅにおいて対向基板４０ｆと対向する一方面側には、光出射領域４０ａに、画素トランジスター（図示せず）、および画素トランジスターに電気的に接続する透光性の画素電極４０５ａがマトリクス状に形成されており、かかる画素電極４０５ａの上層側には配向膜４１６が形成されている。また、素子基板４０ｅの一方側の基板面において、周辺領域４０ｃには、画素電極４０５ａと同時形成されたダミー画素電極４０５ｂが形成されている。ダミー画素電極４０５ｂについては、ダミーの画素トランジスターと電気的に接続された構成、ダミーの画素トランジスターが設けられずに配線に直接、電気的に接続された構成、あるいは電位が印加されていないフロート状態にある構成が採用される。
【００４０】
対向基板４０ｆにおいて素子基板４０ｅと対向する一方面側には透光性の共通電極４２１が形成されており、共通電極４２１の上層には配向膜４２６が形成されている。共通電極４２１は、対向基板４０ｆの略全面あるいは複数の帯状電極として複数の画素に跨って形成されている。また、対向基板４０ｆにおいて素子基板４０ｅと対向する一方面側には、共通電極４２１の下層側に遮光層４０８が形成されている。本形態において、遮光層４０８は、光出射領域４０ａの外周縁に沿って延在する額縁状に形成されており、見切りとして機能する。遮光層４０８の外周縁は、シール材４０７の内周縁との間に隙間を隔てた位置にあり、遮光層４０８とシール材４０７とは被さっていない。また、対向基板４０ｆにおいて、隣り合う画素電極４０５ａにより挟まれた領域と重なる領域等には、遮光層４０８と同時形成された遮光層が形成されることもある。
【００４１】
このように構成した液晶パネル４０において、素子基板４０ｅには、シール材４０７より外側において対向基板４０ｆの角部分と重なる領域に、素子基板４０ｅと対向基板４０ｆとの間で電気的導通をとるための基板間導通用電極４０９が形成されている。かかる基板間導通用電極４０９には、導電粒子を含んだ基板間導通材４０９ａが配置されており、対向基板４０ｆの共通電極４２１は、基板間導通材４０９ａおよび基板間導通用電極４０９を介して、素子基板４０ｅ側に電気的に接続されている。このため、共通電極４２１は、素子基板４０ｅの側から共通電位が印加されている。シール材４０７は、略同一の幅寸法をもって対向基板４０ｆの外周縁に沿って設けられている。但し、シール材４０７は、対向基板４０ｆの角部分と重なる領域では基板間導通用電極４０９を避けて内側を通るように設けられている。
【００４２】
かかる構成の液晶パネル４０において、本形態では、画素電極４０５ａおよび共通電極４２１が透光性導電膜により形成されているため、液晶パネル４０は透過型である。かかる透過型の液晶パネル４０の場合、素子基板４０ｅおよび対向基板４０ｆのうち、一方側の基板から入射した光（矢印Ｌ１で示す光）が他方側の基板を透過して矢印Ｌ２で示すように出射される間に変調される。本形態では、対向基板４０ｆから入射した光が素子基板４０ｅを透過して出射される構成になっている。なお、共通電極４２１を透光性導電膜により形成し、画素電極４０５ａを反射性導電膜により形成すると、反射型の液晶装置を構成することができる。反射型の液晶型の液晶パネル４０の場合、対向基板４０ｆの側から入射した光が素子基板４０ｅの側で反射して出射される間に変調される。また、本形態の液晶パネル４０は、前記した投射型表示装置（液晶プロジェクター）において、ライトバルブとして用いられるため、カラーフィルターは形成されない。但し、液晶パネル４０を、モバイルコンピューター、携帯電話機等といった電子機器の直視型のカラー表示装置として用いる場合、対向基板４０ｆには、カラーフィルターが形成される。
【００４３】
図５および図６に示すように、液晶パネル４０では、素子基板４０ｅの外面側および対向基板４０ｆの外面側に防塵ガラス４０ｇ、４０ｈが各々貼付されている。防塵ガラス４０ｇは素子基板４０ｅとサイズが等しく、防塵ガラス４０ｈは対向基板４０ｆとサイズが等しい。また、素子基板４０ｅは、対向基板４０ｆよりサイズが大きく、対向基板４０ｆは、素子基板４０ｅに対して端部から所定の寸法を隔てた位置に配置されている。このため、液晶パネル４０には、対向基板４０ｆおよび防塵ガラス４０ｈに起因する段部４０ｓ、４０ｔ、４０ｕ、４０ｖが全周に形成されている。
【００４４】
かかる構成の液晶パネル４０において、本形態では、対向基板４０ｆから入射した光が素子基板４０ｅを透過して出射される構成になっている。このため、以下の説明では、素子基板４０ｅおよび防塵ガラス４０ｇが位置する側を正面部４１とし、対向基板４０ｆおよび防塵ガラス４０ｈが位置する側を背面部４２とし、正面部４１と背面部４２との間に位置する４つの側面部を各々、第１側面部４６、第２側面部４７、第３側面部４８、および第４側面部４９として説明する。
【００４５】
［実施の形態１］
（電気光学モジュール１０の構成）
図７は、本発明の実施の形態１に係る電気光学モジュール１０の外形を示す説明図であり、図７（ａ）、（ｂ）は各々、電気光学モジュール１０を対向基板４０ｆの側（背面側）からみたときの説明図、および電気光学モジュール１０を素子基板４０ｅの側（正面側）からみたときの説明図である。図８は、本発明の実施の形態１に係る電気光学モジュール１０に用いたフレーム５０の説明図であり、図８（ａ）には、フレーム５０を展開した様子を示してあり、図８（ｂ）〜（ｄ）には、フレーム５０を用いて電気光学モジュール１０を構成する工程を示してある。なお、図８では、液晶パネル４０に相当する部分はグレーで表してある。
【００４６】
図７および図８に示すように、本形態の電気光学モジュール１０は、変調用の電気光学パネルとしての透過型の液晶パネル４０と、液晶パネル４０の周りを囲むフレーム５０とを有している。本形態において、フレーム５０は、以下に説明するように、光出射領域４０ａと重ならないように折り曲げられた１枚の平板５００からなり、本形態において、平板５００として、アルミニウムやＳＵＳ等の金属板が用いられている。また、平板５００は薄いため、可撓性を有している。
【００４７】
（フレーム５０の構成）
フレーム５０は、まず、液晶パネル４０の正面部４１および背面部４２のうちの一方面に被さる矩形の第１面５１を有している。本形態において、第１面５１は、液晶パネル４０の正面部４１（一方面）に被さっており、光出射領域４０ａと重なる領域に矩形の開口部５１ａが形成されている。また、フレーム５０は、第１面５１の第１端部５１ｅで直角に折れ曲がって液晶パネル４０の第１側面部４６に被さる矩形の第２面５２と、第１面５１において第１端部５１ｅに対向する第２端部５１ｆで直角に折れ曲がって、液晶パネル４０において第１側面部４６に対向する第２側面部４７に被さる矩形の第３面５３とを有している。さらに、フレーム５０は、第２面５２において第１端部５１ｅに繋がる側とは反対側の端部で折れ曲がって液晶パネル４０の背面部４２に被さる第４面５４と、第３面５３において第２端部５１ｆに繋がる側とは反対側の端部で折れ曲がって液晶パネル４０の背面部４２に被さる第５面５５とを備えている。液晶パネル４０の背面部４２において、第４面５４および第５面５５の上下関係はいずれでもよいが、本形態では、第５面５５が第４面５４の上に被さっている。
【００４８】
ここで、第４面５４および第５面５５は、液晶パネル４０の背面部４２のうち、素子基板４０ｅにおいて対向基板４０ｆからの張出領域に重なっている。このため、第４面５４および第５面５５は、液晶パネル４０の端部に重なっており、光出射領域４０ａには被さっていない。
【００４９】
かかる構成を実現するにあたって、本形態では、第４面５４は、第２面５２に連接する矩形の連接部分５４ｄと、第２面５２が位置する側（連接部分５４ｄ）から第３面５３が位置する側に向けて延在する第４面側第１延在部５４ａと、第４面側第１延在部５４ａの先端部で折れ曲がって延在する第４面側第２延在部５４ｂとを備えている。また、第４面５４は、第４面側第２延在部５４ｂの先端部で第２面５２側に向けて折れ曲がった第４面側第３延在部５４ｃを備えており、かかる第４面側第３延在部５４ｃの先端部は、第２面５２との連接部分５４ｄに繋がっている。このため、第４面５４は、開口部５４ｓを備えた矩形枠形状を有しており、開口部５４ｓには、対向基板４０ｆおよび防塵ガラス４０ｈが嵌った状態にある。このため、第４面５４は、光出射領域４０ａの周りを全周で囲んでいるとともに、液晶パネル４０において対向基板４０ｆおよび防塵ガラス４０ｈにより形成された段部４０ｓ、４０ｔ、４０ｕ、４０ｖに係合している。
【００５０】
第５面５５は、第３面５３に連接する矩形の連接部分５５ｄと、第２面５２が位置する側（連接部分５５ｄ）から第３面５３が位置する側に向けて延在する第５面側第１延在部５５ａと、第５面側第１延在部５５ａの先端部で折れ曲がって延在する第５面側第２延在部５５ｂとを備えている。また、第５面５５は、第５面側第２延在部５５ｂの先端部で第３面５３側に向けて折れ曲がった第５面側第３延在部５５ｃを備えており、かかる第５面側第３延在部５５ｃの先端部は、第３面５３との連接部分５５ｄに繋がっている。このため、第５面５５は、開口部５５ｓを備えた矩形枠形状を有しており、開口部５５ｓには、対向基板４０ｆおよび防塵ガラス４０ｈが嵌った状態にある。このため、第５面５５は、光出射領域４０ａの周りを全周で囲んでいるとともに、液晶パネル４０において対向基板４０ｆおよび防塵ガラス４０ｈにより形成された段部４０ｓ、４０ｔ、４０ｕ、４０ｖに係合している。
【００５１】
ここで、第５面側第１延在部５５ａは、光出射領域４０ａに対して第４面側第１延在部５４ａが延在する側とは反対側に設けられている。また、第１面５１は、第１端部５１ｅおよび第２端部５１ｆ以外の端部から張り出した連結部５１ｓ、５１ｕを備えており、連結部５１ｓ、５１ｕには、電気光学モジュール１０を電子機器本体に取り付けるための取り付け穴５１ｔ、５１ｖが形成されている。
【００５２】
このように本形態の電気光学モジュール１０では、フレーム５０の第１面５１と第４面５４および第５面５５との間に液晶パネル４０が挟持され、フレーム５０の第２面５２と第３面５３との間に液晶パネル４０が挟持されている。
【００５３】
（電気光学モジュール１０の製造方法）
本形態の電気光学モジュール１０を製造するには、図８（ａ）に示す平板５００を準備しておく。平板５００には、以下に説明するように折り曲げる際の折り目を予め、付しておくことが好ましい。
【００５４】
次に、図８（ｂ）に示すように、平板５００を折り曲げて、液晶パネル４０を囲むフレーム５０とするには、まず、第１面５１に液晶パネル４０を重ねる。次に、第１面５１と第２面５２との連接部分を折り曲げるとともに、第２面５２と第４面５４との連接部分を折り曲げる。その結果、図８（ｃ）に示すように、第２面５２および第４面５４は、液晶パネル４０に被さった状態となる。この状態で、第４面５４の開口部５４ｓに対向基板４０ｆおよび防塵ガラス４０ｈが嵌った状態になり、第４面５４は、液晶パネル４０の段部４０ｓ、４０ｔ、４０ｕ、４０ｖに係合する。
【００５５】
次に、第１面５１と第３面５３との連接部分を折り曲げるとともに、第３面５３と第５面５５との連接部分を折り曲げる。その結果、図８（ｄ）に示すように、第３面５３および第５面５５は、液晶パネル４０に被さった状態となる。この状態で、第５面５５の開口部５５ｓに対向基板４０ｆおよび防塵ガラス４０ｈが嵌った状態になり、第５面５５は、液晶パネル４０の段部４０ｓ、４０ｔ、４０ｕ、４０ｖに係合する。
【００５６】
このように、第４面５４および第５面５５は、液晶パネル４０の段部４０ｓ、４０ｔ、４０ｕ、４０ｖに係合するので、第４面５４および第５面５５が液晶パネル４０に被さった状態が維持される。従って、第４面５４と第５面５５とをフックや接着剤等で結合しなくても、液晶パネル４０に被さった状態が維持される。それ故、図８（ａ）〜（ｄ）を参照して説明した工程を行うだけで、フレーム５０の第１面５１と第４面５４および第５面５５との間に液晶パネル４０が挟持され、フレーム５０の第２面５２と第３面５３との間に液晶パネル４０が挟持されるので、電気光学モジュール１０が完成する。また、フレーム５０のサイズを液晶パネル４０のサイズよりもわずかに大きくしておけば、フレーム５０は、弾性をもって液晶パネル４０を保持するので、液晶パネル４０に過大な力が加わらない。それ故、液晶パネル４０が欠ける等の問題は発生しない。また、電気光学モジュール１０において、フレーム５０の第１面５１については、図４等を参照して説明した偏光板等の固着面として利用することができる。
【００５７】
（本形態の主な効果）
以上説明したように、本形態の電気光学モジュール１０において、フレーム５０は、液晶パネル４０の光出射領域４０ａと重ならないように折り曲げられた１枚の平板５００からなるため、フレーム５０のコストを低減することができる。また、フレーム５０は、液晶パネル４０の正面部４１に被さる面（第１面５１）と、液晶パネル４０の側面部に被さる面（第２面５２および第３面５３）と、液晶パネル４０の背面部に被さる面（第４面５４および第５面５５）とを有しているため、フレーム５０を１枚の平板５００によって構成した場合でも、液晶パネル４０の周りを囲むことができる。また、フレーム５０が１枚の平板５００からなるため、液晶パネル４０で発生した熱は、フレーム５０全体にスムーズに伝達され、フレーム５０全体から放熱される。それ故、電気光学モジュール１０は、放熱性に優れているという利点がある。
【００５８】
また、フレーム５０において、第１面５１には、光出射領域４０ａと重なる領域に開口部５１ａが設けられ、第４面５４および第５面５５は、背面部４２において光出射領域４０ａと重ならない端部に被さっている。このため、フレーム５０において、第１面５１の側に光が通過可能な部分が確保されるとともに、第４面５４および第５面５５が位置する側にも光が通過可能な部分が確保される。従って、本形態のフレーム５０は、透過型の液晶パネル４０のように、正面部４１および背面部４２の双方に光が通過する部分が必要な場合にも対応することができる。
【００５９】
さらに、フレーム５０において、第４面５４および第５面５５は、光出射領域４０ａの周りを全周で囲む矩形枠形状を有しているため、フレーム５０において第４面５４および第５面５５が位置する側に光が通過する部分を確保しつつ、液晶パネル４０の背面部４２を広く覆うことができる。それ故、液晶パネル４０は、フレーム５０によって確実に補強される。
【００６０】
さらにまた、液晶パネル４０は、フレーム５０の第４面５４および第５面５５の折れ曲がりにより生成された角部の内側が係合する段部４０ｓ、４０ｔ、４０ｕ、４０ｖを有している。このため、第４面５４および第５面５５を液晶パネル４０の背面部４２に被せるだけで、第４面５４および第５面５５が液晶パネル４０の段部４０ｓ、４０ｔ、４０ｕ、４０ｖに係合するので、第４面５４および第５面５５が液晶パネル４０の背面部４２に被さった状態を維持することができる。従って、電気光学モジュール１０の組み立ての際、第４面５４および第５面５５が液晶パネル４０の背面部４２に被さった状態を維持するための部材や接着剤等を用いなくてもよい。また、電気光学モジュール１０の組み立て後も、第４面５４および第５面５５が液晶パネル４０の背面部４２に被さった状態を維持するための部材や接着剤等を用いなくてもよい。また、電気光学モジュール１０の組み立て後、第４面５４および第５面５５が液晶パネル４０の背面部４２に被さった状態を維持するための部材や接着剤等を用いる場合でも、簡素な構成で済むという利点がある。
【００６１】
また、フレーム５０は、液晶パネル４０の第３側面部４８および第４側面部４９を覆っておらず、液晶パネル４０の第３側面部４８および第４側面部４９は、フレーム５０から露出している状態にある。かかる構造であっても、本形態では、第４面５４および第５面５５が液晶パネル４０の段部４０ｓ、４０ｔ、４０ｕ、４０ｖに対して四方で係合しているため、フレーム５０から液晶パネル４０が脱落することがない。また、液晶パネル４０の第３側面部４８および第４側面部４９がフレーム５０から露出しているため、電気光学モジュール１０に向けて冷却空気が供給された際、液晶パネル４０を効率よく冷却することができる。
【００６２】
［実施の形態２］
図９は、本発明の実施の形態２に係る電気光学モジュール１０に用いたフレーム５０の説明図であり、図９（ａ）には、フレーム５０を展開した様子を示してあり、図９（ｂ）〜（ｄ）には、フレーム５０を用いて電気光学モジュール１０を構成する工程を示してある。なお、図９では、液晶パネル４０に相当する部分はグレーで表してある。また、本形態の基本的な構成は、実施の形態１と同一であるため、共通する部分には同一の符号を付して図示し、それらの説明を省略する。また、本形態は、実施の形態１とフレーム５０の構成が一部異なるだけであるため、液晶パネル４０については、図５および図６を参照して説明する。
【００６３】
図５、図６および図９に示すように、本形態の電気光学モジュール１０も、実施の形態１と同様、変調用の電気光学パネルとしての透過型の液晶パネル４０と、液晶パネル４０の周りを囲むフレーム５０とを有している。また、フレーム５０は、光出射領域４０ａと重ならないように折り曲げられた１枚の平板５００からなり、本形態において、平板５００として、アルミニウムやＳＵＳ等の金属板が用いられている。また、フレーム５０は、実施の形態１と同様、開口部５１ａが形成された第１面５１、第２面５２、第３面５３、第４面５４、および第５面５５を備えている。
【００６４】
ここで、第４面５４および第５面５５は、液晶パネル４０の背面部４２のうち、素子基板４０ｅにおいて対向基板４０ｆからの張出領域に重なっており、第４面５４および第５面５５は、液晶パネル４０の端部に被さっており、光出射領域４０ａには被さっていない。
【００６５】
より具体的には、第４面５４は、第２面５２に連接する矩形の連接部分５４ｄと、第２面５２が位置する側（連接部分５４ｄ）から第３面５３が位置する側に向けて延在する第４面側第１延在部５４ａと、第４面側第１延在部５４ａの先端部で折れ曲がって延在する第４面側第２延在部５４ｂと、第４面側第２延在部５４ｂの先端部で第２面５２側に向けて折れ曲がった第４面側第３延在部５４ｃとを備えている。従って、第４面５４は、第４面側第１延在部５４ａ、第４面側第２延在部５４ｂ、および第４面側第３延在部５４ｃに囲まれた開口部５５ｓを有している。また、第５面５５は、第３面５３に連接する矩形の連接部分５５ｄと、第２面５２が位置する側（連接部分５５ｄ）から第３面５３が位置する側に向けて延在する第５面側第１延在部５５ａと、第５面側第１延在部５５ａの先端部で折れ曲がって延在する第５面側第２延在部５５ｂと、第５面側第２延在部５５ｂの先端部で第３面５３側に向けて折れ曲がった第５面側第３延在部５５ｃとを備えている。従って、第５面５５は、第５面側第１延在部５５ａ、第５面側第２延在部５５ｂ、および第５面側第３延在部５５ｃに囲まれた開口部５５ｓを有している。ここで、第５面側第１延在部５５ａは、光出射領域４０ａに対して第４面側第１延在部５４ａが延在する側とは反対側に設けられている。
【００６６】
本形態では、実施の形態１と違って、第４面側第３延在部５４ｃの先端部は、第２面５２との連接部分５４ｄに繋がっておらず、第４面側第３延在部５４ｃと連接部分５４ｄとの間は途切れている。また、第５面側第３延在部５５ｃの先端部は、第３面５３との連接部分５５ｄに繋がっておらず、第５面側第３延在部５５ｃと連接部分５５ｄとの間は途切れている。
【００６７】
かかる構成のフレーム５０を用いて電気光学モジュール１０を製造するには、図９（ａ）に示す平板５００を準備しておく。平板５００には、以下に説明するように折り曲げる際の折り目を予め、付しておくことが好ましい。
【００６８】
次に、図９（ｂ）に示すように、第１面５１に液晶パネル４０を重ねる。次に、第１面５１と第２面５２との連接部分を折り曲げるとともに、第２面５２と第４面５４との連接部分を折り曲げる。その結果、図９（ｃ）に示すように、第２面５２および第４面５４は、液晶パネル４０に被さった状態となる。この状態で、第４面５４の開口部５４ｓに対向基板４０ｆおよび防塵ガラス４０ｈが嵌った状態になり、第４面５４は、液晶パネル４０の段部４０ｓ、４０ｔ、４０ｕ、４０ｖに係合する。
【００６９】
次に、第１面５１と第３面５３との連接部分を折り曲げるとともに、第３面５３と第５面５５との連接部分を折り曲げる。その結果、図９（ｄ）に示すように、第３面５３および第５面５５は、液晶パネル４０に被さった状態となる。この状態で、第５面５５の開口部５５ｓに対向基板４０ｆおよび防塵ガラス４０ｈが嵌った状態になり、第５面５５は、液晶パネル４０の段部４０ｓ、４０ｔ、４０ｕ、４０ｖに係合する。
【００７０】
このように、第４面５４および第５面５５は、液晶パネル４０の段部４０ｓ、４０ｔ、４０ｕ、４０ｖに係合するので、液晶パネル４０に被さった状態が維持される。従って、第４面５４と第５面５５とをフックや接着剤等で結合しなくても、液晶パネル４０に被さった状態が維持される。それ故、図９（ａ）〜（ｄ）を参照して説明した工程を行うだけで、電気光学モジュール１０が完成する。
【００７１】
このように、本形態でも、実施の形態１と同様、フレーム５０は、液晶パネル４０の光出射領域４０ａと重ならないように折り曲げられた１枚の平板５００からなるため、フレーム５０のコストを低減することができる。また、フレーム５０は、液晶パネル４０の正面部４１に被さる面（第１面５１）と、液晶パネル４０の側面部に被さる面（第２面５２および第３面５３）と、液晶パネル４０の背面部に被さる面（第４面５４および第５面５５）とを有しているため、フレーム５０を１枚の平板５００によって構成した場合でも、液晶パネル４０の周りを囲むことができる等、実施の形態１と略同様な効果を奏する。
【００７２】
また、第５面側第１延在部５５ａは、光出射領域４０ａに対して第４面側第１延在部５４ａが延在する側とは反対側に設けられている。このため、第４面側第３延在部５４ｃと連接部分５４ｄとの間が途切れ、第５面側第３延在部５５ｃと連接部分５５ｄとの間が途切れている場合でも、第４面５４と第５面５５とは、液晶パネル４０の背面部４２に対して広い領域にわたって被さる。それ故、フレーム５０は液晶パネル４０を確実に補強される。
【００７３】
［実施の形態３］
図１０は、本発明の実施の形態３に係る電気光学モジュール１０に用いたフレーム５０の説明図であり、図１０（ａ）には、フレーム５０を展開した様子を示してあり、図１０（ｂ）〜（ｄ）には、フレーム５０を用いて電気光学モジュール１０を構成する工程を示してある。なお、図１０では、液晶パネル４０に相当する部分はグレーで表してある。また、本形態の基本的な構成は、実施の形態１、２と同一であるため、共通する部分には同一の符号を付して図示し、それらの説明を省略する。また、本形態は、実施の形態１とフレーム５０の構成が一部異なるだけであるため、液晶パネル４０については、図５および図６を参照して説明する。
【００７４】
図５、図６および図１０に示すように、本形態の電気光学モジュール１０も、実施の形態１と同様、変調用の電気光学パネルとしての透過型の液晶パネル４０と、液晶パネル４０の周りを囲むフレーム５０とを有している。また、フレーム５０は、光出射領域４０ａと重ならないように折り曲げられた１枚の平板５００からなり、本形態において、平板５００として、アルミニウムやＳＵＳ等の金属板が用いられている。また、フレーム５０は、実施の形態１と同様、開口部５１ａが形成された第１面５１、第２面５２、第３面５３、第４面５４、および第５面５５を備えている。
【００７５】
ここで、第４面５４および第５面５５は、液晶パネル４０の背面部４２のうち、素子基板４０ｅにおいて対向基板４０ｆからの張出領域に重なっており、第４面５４および第５面５５は、液晶パネル４０の端部に被さっており、光出射領域４０ａには被さっていない。
【００７６】
より具体的には、第４面５４は、第２面５２に連接する矩形の連接部分５４ｄと、第２面５２が位置する側（連接部分５４ｄ）から第３面５３が位置する側に向けて延在する第４面側第１延在部５４ａと、第４面側第１延在部５４ａの先端部で折れ曲がって延在する第４面側第２延在部５４ｂとを備えている。従って、第４面５４は、第４面側第１延在部５４ａ、および第４面側第２延在部５４ｂで区画された開口部５５ｓを有している。また、第５面５５は、第３面５３に連接する矩形の連接部分５５ｄと、第２面５２が位置する側（連接部分５５ｄ）から第３面５３が位置する側に向けて延在する第５面側第１延在部５５ａと、第５面側第１延在部５５ａの先端部で折れ曲がって延在する第５面側第２延在部５５ｂと、第５面側第２延在部５５ｂの先端部で第３面５３側に向けて折れ曲がった第５面側第３延在部５５ｃとを備えている。従って、第５面５５は、第５面側第１延在部５５ａ、および第５面側第２延在部５５ｂで区画された開口部５５ｓを有している。
【００７７】
このように、本形態では、実施の形態１と違って、フレーム５０には、図９等に示す第４面側第３延在部５４ｃおよび第５面側第３延在部５５ｃが設けられていない。なお、第５面側第１延在部５５ａは、実施の形態１、２と同様、光出射領域４０ａに対して第４面側第１延在部５４ａが延在する側とは反対側に設けられている。
【００７８】
かかる構成のフレーム５０を用いて電気光学モジュール１０を製造するには、図１０（ａ）に示す平板５００を準備しておく。平板５００には、以下に説明するように折り曲げる際の折り目を予め、付しておくことが好ましい。
【００７９】
次に、図１０（ｂ）に示すように、第１面５１に液晶パネル４０を重ねる。次に、第１面５１と第２面５２との連接部分を折り曲げるとともに、第２面５２と第４面５４との連接部分を折り曲げる。その結果、図１０（ｃ）に示すように、第２面５２および第４面５４は、液晶パネル４０に被さった状態となる。この状態で、第４面５４の開口部５４ｓに対向基板４０ｆおよび防塵ガラス４０ｈが嵌った状態になり、第４面５４は、液晶パネル４０の３つの段部４０ｓ、４０ｔ、４０ｖに係合する。
【００８０】
次に、第１面５１と第３面５３との連接部分を折り曲げるとともに、第３面５３と第５面５５との連接部分を折り曲げる。その結果、図１０（ｄ）に示すように、第３面５３および第５面５５は、液晶パネル４０に被さった状態となる。この状態で、第５面５５の開口部５５ｓに対向基板４０ｆおよび防塵ガラス４０ｈが嵌った状態になり、第５面５５は、液晶パネル４０の３つの段部４０ｓ、４０ｔ、４０ｖに係合する。
【００８１】
このように、第４面５４および第５面５５は、液晶パネル４０の段部４０ｓ、４０ｔ、４０ｕ、４０ｖに係合するので、液晶パネル４０に被さった状態が維持される。従って、第４面５４と第５面５５とをフックや接着剤等で結合しなくても、液晶パネル４０に被さった状態が維持される。それ故、図１０（ａ）〜（ｄ）を参照して説明した工程を行うだけで、電気光学モジュール１０が完成する。
【００８２】
このように、本形態でも、実施の形態１、２と同様、フレーム５０は、液晶パネル４０の光出射領域４０ａと重ならないように折り曲げられた１枚の平板５００からなるため、フレーム５０のコストを低減することができる。また、フレーム５０は、液晶パネル４０の正面部４１に被さる面（第１面５１）と、液晶パネル４０の側面部に被さる面（第２面５２および第３面５３）と、液晶パネル４０の背面部に被さる面（第４面５４および第５面５５）とを有しているため、フレーム５０を１枚の平板５００によって構成した場合でも、液晶パネル４０の周りを囲むことができる等、実施の形態１と略同様な効果を奏する。
【００８３】
また、第５面側第１延在部５５ａは、光出射領域４０ａに対して第４面側第１延在部５４ａが延在する側とは反対側に設けられている。このため、第４面側第２延在部５４ｂと連接部分５４ｄとの間が途切れ、第５面側第２延在部５５ｂと連接部分５５ｄとの間が途切れている場合でも、第４面５４と第５面５５とは、液晶パネル４０の背面部４２に対して広い領域にわたって被さる。それ故、フレーム５０は液晶パネル４０を確実に補強される。
【００８４】
［実施の形態４］
図１１は、本発明の実施の形態４に係る電気光学モジュール１０に用いたフレーム５０の説明図であり、図１１（ａ）には、フレーム５０を展開した様子を示してあり、図１１（ｂ）〜（ｄ）には、フレーム５０を用いて電気光学モジュール１０を構成する工程を示してある。なお、図１１では、液晶パネル４０に相当する部分はグレーで表してある。また、本形態の基本的な構成は、実施の形態１、２と同一であるため、共通する部分には同一の符号を付して図示し、それらの説明を省略する。また、本形態は、実施の形態１とフレーム５０の構成が一部異なるだけであるため、液晶パネル４０については、図５および図６を参照して説明する。
【００８５】
図５、図６および図１１に示すように、本形態の電気光学モジュール１０も、実施の形態１と同様、変調用の電気光学パネルとしての透過型の液晶パネル４０と、液晶パネル４０の周りを囲むフレーム５０とを有している。また、フレーム５０は、光出射領域４０ａと重ならないように折り曲げられた１枚の平板５００からなり、本形態において、平板５００として、アルミニウムやＳＵＳ等の金属板が用いられている。また、フレーム５０は、実施の形態１と同様、開口部５１ａが形成された第１面５１、第２面５２、第３面５３、第４面５４、および第５面５５を備えている。
【００８６】
ここで、第４面５４および第５面５５は、液晶パネル４０の背面部４２のうち、素子基板４０ｅにおいて対向基板４０ｆからの張出領域に重なっており、第４面５４および第５面５５は、液晶パネル４０の端部に被さっており、光出射領域４０ａには被さっていない。
【００８７】
より具体的には、第４面５４および第５面５５は、実施の形態１と同様、開口部５４ｓ、５５ｓを備えた矩形枠形状に形成されており、かかる開口部５４ｓ、５５ｓには、対向基板４０ｆおよび防塵ガラス４０ｈが嵌った状態にある。このため、第４面５４および第５面５５は、光出射領域４０ａの周りを全周で囲んでいるとともに、液晶パネル４０において対向基板４０ｆおよび防塵ガラス４０ｈにより形成された段部４０ｓ、４０ｔ、４０ｕ、４０ｔに係合している。
【００８８】
ここで、第１面５１は、第１端部５１ｅおよび第２端部５１ｆが対向する方向の寸法が液晶パネル４０よりかなり大きい。また、第２面５２および第３面５３の幅寸法は、液晶パネル４０において素子基板４０ｅおよび防塵ガラス４０ｇの厚さ寸法の総和よりもかなり大きい。
【００８９】
かかる構成のフレーム５０を用いて電気光学モジュール１０を製造するには、図１１（ａ）に示す平板５００を準備しておく。平板５００には、以下に説明するように折り曲げる際の折り目を予め、付しておくことが好ましい。
【００９０】
次に、図１１（ｂ）に示すように、第１面５１に液晶パネル４０を重ねる。次に、第１面５１と第２面５２との連接部分を折り曲げるとともに、第２面５２と第４面５４との連接部分を折り曲げる。その結果、図１１（ｃ）に示すように、第２面５２および第４面５４は、液晶パネル４０に被さった状態となる。この状態で、第４面５４の開口部５４ｓに対向基板４０ｆおよび防塵ガラス４０ｈが嵌った状態になり、第４面５４は、液晶パネル４０の３つの段部４０ｓ、４０ｔ、４０ｕ、４０ｖに係合する。
【００９１】
次に、第１面５１と第３面５３との連接部分を折り曲げるとともに、第３面５３と第５面５５との連接部分を折り曲げる。その結果、図１１（ｄ）に示すように、第３面５３および第５面５５は、液晶パネル４０に被さった状態となる。この状態で、第５面５５の開口部５５ｓに対向基板４０ｆおよび防塵ガラス４０ｈが嵌った状態になり、第５面５５は、液晶パネル４０の３つの段部４０ｓ、４０ｔ、４０ｕ、４０ｖに係合する。
【００９２】
このように、第４面５４および第５面５５は、液晶パネル４０の段部４０ｓ、４０ｔ、４０ｕ、４０ｖに係合するので、液晶パネル４０に被さった状態が維持される。従って、第４面５４と第５面５５とをフックや接着剤等で結合しなくても、液晶パネル４０に被さった状態が維持される。それ故、図１１（ａ）〜（ｄ）を参照して説明した工程を行うだけで、電気光学モジュール１０が完成する。よって、フレーム５０を１枚の平板５００によって構成した場合でも、液晶パネル４０の周りを囲むことができる等、実施の形態１と略同様な効果を奏する。
【００９３】
また、本形態では、フレーム５０の第１面５１は、第１端部５１ｅおよび第２端部５１ｆが対向する方向の寸法が液晶パネル４０よりかなり大きく、第２面５２および第３面５３の幅寸法は、液晶パネル４０において素子基板４０ｅおよび防塵ガラス４０ｇの厚さ寸法の総和よりもかなり大きい。このため、本形態の電気光学モジュール１０では、第２面５２および第３面５３が斜面となる。従って、第２面５２と液晶パネル４０との間、および第３面５３と液晶パネル４０との間には、液晶パネル４０の第３側面部４８および第４側面部４９が位置する方向で貫通する通路が形成される。このため、本形態によれば、実施の形態１を参照して説明した効果に加えて、液晶パネル４０の第３側面部４８の側からフレーム５０の内部に流入した冷却空気は、フレーム５０の内部を通って液晶パネル４０の第４側面部４９が位置する側から流出するので、冷却効率が高いという利点がある。
【００９４】
また、フレーム５０のサイズが液晶パネル４０のサイズより十分に大きいので、フレーム５０は、弾性をもって液晶パネル４０を保持する。それ故、液晶パネル４０に過大な力が加わらないので、液晶パネル４０が欠ける等の問題は発生しない。
【００９５】
［電気光学モジュールの他の実施の形態］
上記実施の形態では、第１面５１が液晶パネル４０の正面部４１を覆ったが、第１面５１が液晶パネル４０の背面部４２に被さるように構成してもよい。この場合、第４面５４および第５面５５が液晶パネル４０の背面部４２に被さることになる。
【００９６】
上記実施の形態では、液晶パネル４０単体をフレーム５０の内部に設けたが、偏光板等を貼付した液晶パネル４０をフレーム５０の内部に設けて電気光学モジュール１０を構成してもよい。
【００９７】
上記実施の形態では、透過型の液晶パネル４０とフレーム５０とを備えた電気光学モジュール１０を例示したが、図１２を参照して後述する投射型表示装置に用いられる反射型の液晶パネル４０とフレーム５０とを備えた電気光学モジュール１０に本発明を適用してもよい。かかる反射型の液晶パネル４０を備えた電気光学モジュール１０では、対向基板４０ｆ側から入射した光を素子基板４０ｅ側で反射して対向基板４０ｆ側から出射する。従って、対向基板４０ｆが位置する側が正面部４１となり、素子基板４０ｅが位置する側が背面部４２となる。
【００９８】
上記実施の形態では、第４面５４および第５面５５と、液晶パネル４０の段部４０ｓ、４０ｔ、４０ｕ、４０ｖとの係合のみによって、フレーム５０が液晶パネル４０に被さった状態を維持したが、第４面５４と第５面５５と接着、第４面５４と第５面５５とのフックを介しての結合、締結バンド等を用いて、フレーム５０が液晶パネル４０に被さった状態を維持してもよい。
【００９９】
また、上記実施の形態では、投射型表示装置として投射像を観察する方向から投射を行う前面投射型表示装置を例示したが、投射像を観察する方向とは反対側から投射を行う背面投射型表示装置に用いる投射型表示装置に本発明を適用してもよい。
【０１００】
さらに、上記実施の形態では、電気光学パネルとして液晶パネルを用いたが、マイクロミラーを用いた光変調パネルを用いた電気光学モジュールに本発明を適用してもよい。
【０１０１】
［別の投射型表示装置］
図１２は、本発明を適用した別の投射型表示装置の説明図であり、本形態の投射型表示装置では、反射型の液晶パネルを備えた電気光学モジュールが用いられている。より具体的には、図１２に示す投射型表示装置１０００において、光源部８９０は、システム光軸Ｌに沿って光源８１０、インテグレーターレンズ８２０および偏光変換素子８３０が配置された偏光照明装置８００を有している。また、光源部８９０は、システム光軸Ｌに沿って、偏光照明装置８００から出射されたＳ偏光光束をＳ偏光光束反射面８４１により反射させる偏光ビームスプリッター８４０と、偏光ビームスプリッター８４０のＳ偏光光束反射面８４１から反射された光のうち、青色光（Ｂ）の成分を分離するダイクロイックミラー８４２と、青色光が分離された後の光束のうち、赤色光（Ｒ）の成分を反射させて分離するダイクロイックミラー８４３とを有している。
【０１０２】
また、投射型表示装置１０００は、各色光が入射する３つの反射型の液晶パネル４０（Ｒ）、４０（Ｇ）、４０（Ｂ）を備えており、光源部８９０は、３つの反射型の液晶パネル４０（Ｒ）、４０（Ｇ）、４０（Ｂ）に所定の色光を供給する。
【０１０３】
かかる投射型表示装置１０００においては、３つの液晶パネル４０（Ｒ）、４０（Ｇ）、４０（Ｂ）にて変調された光をダイクロイックミラー８４２、８４３、および偏光ビームスプリッター８４０にて合成した後、この合成光を投射光学系８５０によってスクリーン８６０等の被投射部材に投射する。
【０１０４】
ここで、３つの液晶パネル４０（Ｒ）、４０（Ｇ）、４０（Ｂ）は各々、上記実施の形態で説明した構成と略同様のフレーム５０に保持された電気光学モジュール１０（Ｒ）、１０（Ｇ）、１０（Ｂ）として投射型表示装置１０００に搭載されている。
【０１０５】
［他の電子機器］
本発明を適用した電気光学モジュールについては、上記の電子機器（投射型表示装置）の他にも、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。この場合、電気光学モジュールに用いる電気光学パネルとしては、有機エレクトロルミネッセンス表示パネルやプラスマ表示パネルを用いてもよい。
【符号の説明】
【０１０６】
１・・投射型表示装置、１０００・・投射型表示装置、１０・・電気光学モジュール、４０・・液晶パネル、４０ａ・・光出射領域、４０ｅ・・素子基板、４０ｆ・・対向基板、４０ｇ、４０ｈ・・防塵ガラス、４０ｓ、４０ｔ、４０ｕ、４０ｖ・・段部、４１・・正面部、４２・・背面部、４６・・第１側面部、４７・・第２側面部、４８・・第３側面部、４９・・第４側面部、５０・・フレーム、５１・・第１面、５１ａ・・開口部、５１ｅ・・第１端部、５１ｆ・・第２端部、５２・・第２面、５３・・第３面、５４・・第４面、５４ａ・・第４面側第１延在部、５４ｂ・・第４面側第２延在部、５４ｃ・・第４面側第３延在部、５５・・第５面、５５ａ・・第５面側第１延在部、５５ｂ・・第５面側第２延在部、５５ｃ・・第５面側第３延在部
【図１】
2012088589.tif 000003
【図２】
2012088589.tif 000004
【図３】
2012088589.tif 000005
【図４】
2012088589.tif 000006
【図５】
2012088589.tif 000007
【図６】
2012088589.tif 000008
【図７】
2012088589.tif 000009
【図１２】
2012088589.tif 000010
【図８】
2012088589.tif 000011
【図９】
2012088589.tif 000012
【図１０】
2012088589.tif 000013
【図１１】
2012088589.tif 000014